(57)【要約】  本発明は、少なくとも１つの糸パッケージを押し出すための方法および装置であって、糸パッケージが、巻取り機の突出している巻取りスピンドル（３．１，３．２）に保持されている、方法および装置に関する。押出し装置は、プッシング手段（１３）と、巻取りスピンドル（３．１，３．２）に沿ってプッシング手段（１３）を移動させるためのプッシングアクチュエータ（１４）とを有している。巻取りスピンドル（３．１，３．２）の周面に存在し得る残糸を除去できるようにするために、可動のクリーニング手段（１５）が設けられており、このクリーニング手段（１５）によって巻取りスピンドル（３．１，３．２）の周面から、糸パッケージ（７）の移動時または糸パッケージ（７）の移動後に残糸が除去される。
2022500331.tif 000002
【特許請求の範囲】
【請求項１】
少なくとも１つの糸パッケージを押し出すための方法であって、前記糸パッケージが、突出している巻取りスピンドルに保持されており、前記巻取りスピンドルに沿ってプッシング手段が案内可能である、方法において、
前記巻取りスピンドルの周面から、前記糸パッケージの移動時または前記糸パッケージの移動後に残糸を除去することを特徴とする、方法。
【請求項２】
前記巻取りスピンドルの前記周面を、前記巻取りスピンドルに沿って移動させられる掻取り手段との接触によってクリーニングする、請求項１記載の方法。
【請求項３】
前記巻取りスピンドルの前記周面をブラッシングする、請求項２記載の方法。
【請求項４】
前記巻取りスピンドルの前記周面にノズル装置の空気流を供給し、前記ノズル装置を前記巻取りスピンドルに沿って移動させる、請求項１記載の方法。
【請求項５】
前記巻取りスピンドルの自由端部において落下するルーズな前記残糸を捕集しかつ吸い込む、請求項１から４までのいずれか１項記載の方法。
【請求項６】
巻取り機の突出している巻取りスピンドル（３．１，３．２）に保持されている少なくとも１つの糸パッケージを押し出すための装置であって、プッシング手段（１３）と、前記巻取りスピンドル（３．１，３．２）に沿って前記プッシング手段（１３）を移動させるためのプッシングアクチュエータ（１４）とを備えている装置において、
可動のクリーニング手段（１５）が設けられており、前記クリーニング手段（１５）によって前記巻取りスピンドル（３．１，３．２）の周面から、前記糸パッケージ（７）の押出し中または前記糸パッケージ（７）の押出し後に残糸が除去されることを特徴とする、装置。
【請求項７】
前記クリーニング手段（１５）は掻取り装置（２１）を有しており、前記掻取り装置（２１）によって掻取り手段（２４）が、前記巻取りスピンドル（３．１，３．２）の周面に接触状態で保持可能である、請求項６記載の押出し装置。
【請求項８】
前記掻取り手段（２４）は、環状のブラシ（２５）によって形成されている、請求項７記載の押出し装置。
【請求項９】
前記クリーニング手段（１５）は、環状のノズル装置（２７）を有しており、前記ノズル装置（２７）によって、前記巻取りスピンドル（３．１，３．２）の周面に空気流が発生可能である、請求項６記載の押出し装置。
【請求項１０】
前記クリーニング手段（１５）は、前記プッシング手段（１３）に結合されていて、前記プッシング手段（１３）と一緒に運動可能である、請求項６から９までのいずれか１項記載の押出し装置。
【請求項１１】
前記クリーニング手段（１５）に別体のアクチュエータ（１６）が割り当てられており、前記プッシング手段（１３）と前記クリーニング手段（１５）とは、別個に前記巻取りスピンドル（３．１，３．２）に沿って運動可能である、請求項６から９までのいずれか１項記載の押出し装置。
【請求項１２】
前記クリーニング手段（１５）には、前記巻取りスピンドル（３．１，３．２）の自由端部において、吸込み装置（２２）が割り当てられている、請求項６から１１までのいずれか１項記載の押出し装置。
【請求項１３】
糸を巻き取るための巻取り機であって、糸パッケージ（７）を収容するための、突出するように保持されている少なくとも１つの巻取りスピンドル（３．１，３．２）と、請求項６から１２までのいずれか１項記載の押出し装置（８）とを備えている巻取り機。
【発明の詳細な説明】
【技術分野】
【０００１】
本発明は、請求項１の前提部に記載された、少なくとも１つの糸パッケージを押し出すための方法、および請求項６の前提部に記載された、少なくとも１つの糸パッケージを押し出すための装置に関する。
【０００２】
合成糸の製造時に、糸を溶融紡糸後にそれぞれパッケージに巻き取ることが知られている。連続的な材料流を実現するために、好ましくは、突出するように保持されている２つの巻取りスピンドルを用いて巻き取るための巻取り機が使用され、両巻取りスピンドルは、１つの可動の支持体に配置されていて、交互に巻取り領域と交換領域とに案内される。これによって、溶融紡糸された糸を、プロセス中断なしに連続的に糸パッケージに巻き取ることができる。糸を収容するために巻取りユニットごとに、巻管が巻取りスピンドルの周面に被せ嵌められていて、クランプされており、巻管の周面において糸は糸パッケージに巻き取られる。巻取り領域において保持された巻取りスピンドルは、周面における巻取り済みの糸パッケージを押し出すことができるようにするために、押出し装置と協働する。
【０００３】
少なくとも１つの糸パッケージを押し出すための、冒頭に述べた形式の方法および冒頭に述べた形式の装置は、国際公開第９８／２８２１８号に基づいて公知である。少なくとも１つの糸パッケージを押し出すための公知の方法および公知の装置では、プッシング手段がプッシングアクチュエータによって巻取りスピンドルに沿って案内される。プッシング手段は、巻管の端部に、または直接パッケージの端面に係合する。この場合同時に複数の糸パッケージを、巻取りスピンドルから押し出すことができる。プッシング手段を、プッシングアクチュエータによって巻取りスピンドルの自由端部に至るまで案内することができる。
【０００４】
しかしながら、糸パッケージの移動時に、糸パッケージの周面に存在しているルーズな糸端部が解離し、糸パッケージから落下するという状態が発生することがある。このような落下する糸端部は、次いで巻取りスピンドルの周面において捕捉され、不所望の残糸を生ぜしめることがある。プッシングリングまたはプッシングフォークとして形成されていてよいプッシング手段の構成に関連して、押出し作業が繰り返されると巻取りスピンドルの軸受端部に、残糸または糸塊の隆起状の堆積物が発生し、このような堆積物によって引っ掛かりが発生してしまうことがある。
【０００５】
ゆえに、本発明の課題は、少なくとも１つの糸パッケージを押し出すための、冒頭に述べた形式の方法、および少なくとも１つの糸パッケージを押し出すための、冒頭に述べた形式の装置を改良して、巻取りスピンドルの周面における残糸の付着物を回避する方法および装置を提供することである。
【０００６】
この課題は、本発明によれば、巻取りスピンドルの周面から、糸パッケージの移動時または糸パッケージの移動後に残糸を除去することによって解決される。
【０００７】
本発明に係る装置のための解決策では、可動のクリーニング手段が設けられており、このクリーニング手段によって巻取りスピンドルの周面から、糸パッケージの押出し中または糸パッケージの押出し後に残糸が除去される。
【０００８】
本発明の好適な発展形態は、それぞれの従属請求項の特徴および特徴の組合せによって定義されている。
【０００９】
本発明は、巻取りスピンドルからの１つまたは複数の糸パッケージのそれぞれの押出し後に、巻取りスピンドルから付着している残糸が直接除去されるという特別な利点を有している。このようにして１つの糸パッケージのそれぞれの押出し後に、ルーズな糸端部の存在し得る付着物を直接除去することができる。特に自動化された工程を顧慮すると、これによって、巻管の新たな収容および巻取りスピンドルにおけるパッケージの新たな巻取りのための高い運転確実性が得られる。
【００１０】
しかしながら、特に好適であることが判明している方法変化形態では、巻取りスピンドルの周面を、巻取りスピンドルに沿って移動させられる掻取り手段との接触によってクリーニングする。このようにすると、掻取り手段と巻取りスピンドルの周面との間の機械的な接触によって直接、残糸を受け止めかつ除去することができる。
【００１１】
押出し装置は、そのために、好ましくは掻取り装置を有しており、この掻取り装置によって掻取り手段が、巻取りスピンドルの周面に接触状態で保持可能である。このように構成されていると、巻取りスピンドルの周面全体の汚れを、クリーニング手段の並進運動によって強力に除去することができる。
【００１２】
巻取りスピンドルの周面における残糸の受け止めおよび除去は、好ましくは巻取りスピンドルの周面をブラッシングすることによって達成される。
【００１３】
したがって、掻取り手段は、好ましくは巻取りスピンドルに沿って案内可能である環状のブラシによって形成される。
【００１４】
巻取りスピンドルが可能な限りシールドされて保持されている場合のために、好適に実施することができる方法変化形態では、巻取りスピンドルの周面にノズル装置の空気流を供給し、ノズル装置を、巻取りスピンドルに沿って移動させる。
【００１５】
そのために、押出し装置のクリーニング手段は、第１の構成変化形態では、環状のノズル装置によって形成されており、このノズル装置によって、巻取りスピンドルの周面に空気流が発生可能である。このように構成されていると、巻取りスピンドルの周面における残糸を吹き飛ばすことができる。
【００１６】
クリーニング手段の案内は、押出し装置の好適な発展形態によれば、プッシング手段と組み合わせることができ、これによって、クリーニング手段およびプッシング手段は、プッシングアクチュエータによって案内可能である。
【００１７】
しかしながら、択一的に、クリーニング手段に、プッシング手段とは無関係に巻取りスピンドルに沿って運動可能である別体のアクチュエータを割り当てるという可能性もある。
【００１８】
巻取りスピンドルにおいて捕捉されたルーズな残糸を、その除去後に収容できるようにするために、さらに、巻取りスピンドルの自由端部において落下するルーズな残糸を捕集しかつ吸い込むことが提案されている。そのために、巻取りスピンドルの自由端部において、吸込み装置がクリーニング手段の一部として配設されている。
【００１９】
本発明に係る押出し装置を備えて構成された巻取り機は、糸パッケージの取外しおよび空管の装着が全自動式に実施可能であり、オペレータによる更なるコントロールが不要であるという特別な利点を有している。したがって、本発明に係る巻取り機は、溶融紡糸プロセスの完全な自動化のために適している。
【００２０】
次に本発明を、本発明に係る押出し装置の幾つかの実施例について、添付の図面を参照しながら詳説する。
【図面の簡単な説明】
【００２１】
【図１】本発明に係る押出し装置の第１実施例を備えた本発明に係る巻取り機を概略的に示す側面図である。
【図２】図１に示された本発明に係る押出し装置の実施例を概略的に示す断面図である。
【図３】本発明に係る押出し装置の別の実施例を概略的に示す断面図である。
【図４】本発明に係る押出し装置のさらに別の実施例を概略的に示す断面図である。
【００２２】
図１には、本発明に係る押出し装置の第１実施例を備えた本発明に係る巻取り機が、側面図で概略的に示されている。巻取り機はその構造が一例として示されており、合成糸を連続的に中断なしに巻き取るための溶融紡糸プロセスにおいて使用される。このような巻取り機は、複数の糸を互いに平行に並べて糸パッケージに巻き取るために、好ましくは複数の巻取りユニットを備えている。巻取り機のこの図示された実施例では、ただ１つの巻取りユニットだけが機械フレーム１に形成されている。しかしながら、本発明にとって、１つの糸パッケージが巻き取られるかまたは複数の糸パッケージが同時に巻き取られるかは、重要ではない。本発明は、両バージョンを対象としている。巻取りユニットの数とは無関係に、そのために、突出している巻取りスピンドル３．１が設けられており、この巻取りスピンドル３．１は、スピンドル駆動装置５．１を用いて駆動される。
【００２３】
巻取り機では巻取りスピンドル３．１は、突出するように巻取りリボルバ２に保持されている。巻取りリボルバ２は、機械フレーム１に回転可能に支持されていて、回転駆動装置４に連結されている。回転駆動装置４を介して、巻取りリボルバ２は回転することができる。
【００２４】
巻取りスピンドル３．１に対して１８０°ずらされて、巻取りリボルバ２は第２の巻取りスピンドル３．２を支持しており、この第２の巻取りスピンドル３．２も突出するように保持されていて、長手方向端部において第２のスピンドル駆動装置５．２に連結されている。巻取りスピンドル３．１，３．２は、巻取りリボルバ２の回転によって交互に巻取り領域と交換領域とに案内されることができる。図１において巻取りスピンドル３．１は巻取り領域にあり、巻取りスピンドル３．２は交換領域にある。
【００２５】
糸１２を糸パッケージ７に巻き取るために、巻取りスピンドル３．１の周面および巻取りスピンドル３．２の周面にはそれぞれ巻管６が被せ嵌められていて、クランプされている。そのために、巻管６は、巻取りスピンドル３．１，３．２の自由端部を介して予め被せ嵌められる。
【００２６】
巻取り領域において巻取りスピンドル３．１には、糸１２を巻き取るために押付けローラ９および綾振り装置１１が割り当てられている。綾振り装置１１、押付けローラ９、および巻取りスピンドル３．１は、糸走路において相前後して機械フレーム１に保持されており、これによって、走入する糸１２を、綾振り装置１１の内部における往復案内によって、押付けローラ９を介して糸パッケージ７のパッケージ表面において綾巻きのために巻き重ねることができる。押付けローラ９は、ローラ支持体１０に保持されており、ローラ支持体１０は、好ましくは可動に形成されていて、巻き取るべき糸パッケージの逃出運動を制御するためのセンサとして働く。そのために、例えば押付けローラ９の行程をセンサによって検出することができ、このセンサは、制御回路を備えた巻取りリボルバ２の回転駆動装置４に接続されている。
【００２７】
図１に示された運転状況において、巻取り済みの糸パッケージ７を備えた巻取りスピンドル３．２は交換領域に位置している。交換領域では、それぞれの巻取りスピンドル、この場合には巻取りスピンドル３．２に押出し装置８が割り当てられている。巻管６ひいては糸パッケージ７を押し出すために、押出し装置８は、巻取りスピンドル３．２の軸線方向において可動のプッシング手段１３を有しており、このプッシング手段１３は、プッシングアクチュエータ１４を用いて巻取りスピンドル３．２に沿って往復案内可能である。
【００２８】
プッシング手段１３には、軸線方向において移動可能に巻取りスピンドル３．２の周面に保持されているクリーニング手段１５が割り当てられている。
【００２９】
押出し装置８の更なる説明のために、図１において追加的に図２における図示を参照する。
【００３０】
図２にはプッシング手段１３およびクリーニング手段１５が断面図で示されている。クリーニング手段１５は、環状の掻取り装置２１として形成されていて、プッシング手段１３として働くプッシングリング２０に結合されている。プッシングリング２０および掻取り装置２１は、軸受端部に至るまで、突出している巻取りスピンドル３．２に被せ嵌められていて、巻管６のためのストッパを形成している。
【００３１】
図１における図示から分かるように、巻取りスピンドル３．１にも同様に、被せ嵌められた巻管６のためのストッパを形成するプッシングリング２０および掻取り装置２１が被せ嵌められている。
【００３２】
図２における図示から分かるように、掻取り装置２１は、巻取りスピンドル３．２の周面に接触している掻取り手段２４を有している。掻取り手段２４としては軟質のプラスチックを使用することができる。
【００３３】
交換領域において押出し装置８は、巻取りスピンドル３．２における巻取り済みのパッケージ７を押し出すために働き、これによって、巻取りスピンドル３．２に新しい巻管を装着することができる。そのために、プッシングアーム１９が、プッシングリング２０と掻取り装置２１との間に形成された切欠き１８内に係合する。プッシングアーム１９は、プッシングアクチュエータ１４に不動に連結されていて、巻取りスピンドル３．２に平行に移動させられる。プッシングリング２０および掻取り装置２１は、巻取りスピンドルに沿って滑動し、掻取り手段２４は、巻取りスピンドル３．２の周面を接触状態で取り囲んでいて、巻取りスピンドル３．２の表面をクリーニングする。プッシングリング２０および掻取り装置２１は、掻取り手段２４が巻取りスピンドル３．２の自由端部に達するまで、巻取りスピンドル３．２の自由端部に至るまで移動させられる。
【００３４】
図１における図示から分かるように、巻取りスピンドル３．２の自由端部の下には、キャッチホッパ２３を備えた吸込み装置２２が割り当てられている。これによって、掻取り装置２１によって巻取りスピンドル３．２の周面から押し出された残糸、例えば糸屑を、キャッチホッパ２３によって捕捉し、吸込み装置２２を介してゴミ箱に供給することができる。糸パッケージ７の押出しおよび巻取りスピンドル３．２のクリーニング後に、プッシングリング２０および掻取り装置２１は、巻取りスピンドル３．２の軸受端部に戻し案内される。
【００３５】
押出し装置の、図１および図２に示された実施例は、特に、巻取りスピンドル３．１または３．２の周面が可能な限り滑らかな表面を有している場合に適している。通常このような巻取りスピンドルは、糸パッケージを収容するための巻管６を固定するために、周面にクランプ装置を有している。このような場合、巻取りスピンドルの周面をクリーニングするために、好ましくはブラシ形状の掻取り手段が使用される。そのために、図３には、可能な押出し装置８の別の実施例が概略的に断面図で示されている。
【００３６】
この別の実施例でもプッシング手段１３およびクリーニング手段１５は、同様に環状のユニットとして巻取りスピンドル３．２の周面に保持されている。プッシングリング２０および掻取り装置２１は、プッシングアーム１９を介して巻取りスピンドルの軸線方向において移動させられることができ、プッシングアーム１９は、ここでは図示されていないプッシングアクチュエータに不動に連結されている。
【００３７】
掻取り装置２１は、掻取り手段２４として環状に形成されたブラシ２５を有しており、このブラシ２５の剛毛は、巻取りスピンドル３．２の周面に接触している。糸パッケージの押出し時に巻取りスピンドルの周面全体を、ブラシ２５によって処理することができ、これによって、存在し得る残糸を掻き取ることができる。図３に示された押出し装置の機能は、図１および図２に示された実施例と同じであるので、ここでは更なる説明を省く。
【００３８】
図１、図２、および図３に示された実施例では、プッシング手段１３およびクリーニング手段１５を一緒に巻取りスピンドル３．１，３．２に沿って案内するために、押出し装置８はプッシングアクチュエータを使用する。しかしながら、基本的には、プッシング手段１３とクリーニング手段１５とを互いに無関係に巻取りスピンドルに沿って案内するという可能性もある。例えばプッシングリング２０と掻取り装置２１とは図示の実施例では、糸パッケージの押出し後に次いで巻取りスピンドルのクリーニングを実施するために、分離することができる。クリーニング手段１５の並進運動の他に、特にブラシ形状の掻取り手段では、掻取り装置２１は、巻取りスピンドルに沿って回転運動を実施することができる。このようにすると、掻取り装置２１の並進運動と回転運動との重畳によって、巻取りスピンドルにおける高いクリーニング効果を得ることができる。さらにプッシング手段とクリーニング手段との分離時には、クリーニング工程を押出し工程の周期と異ならせて実施するという可能性がある。例えば巻取りスピンドルのうちの１つの巻取りスピンドルにおける糸パッケージの各５回の押出し後に、１回のクリーニングを実施することができる。
【００３９】
図４には、可能な押出し装置の別の実施例が示されている。図４は、巻取りスピンドル３．２の周面におけるプッシング手段１３およびクリーニング手段１５が断面図で示されている。
【００４０】
プッシング手段１３は本実施例では、ここでは図示されていないプッシングアクチュエータに不動に連結されているプッシングフォーク２６によって形成されている。プッシングフォーク２６には、これによって、図１に示された実施例の巻取りスピンドル３．１，３．２の周面に、別体のプッシング手段を設ける必要がないという利点がある。
【００４１】
巻取りリボルバ２の回転運動によって、巻取りスピンドル３．１，３．２を交互にプッシングフォーク２６内に導入することができる。そのために、プッシングフォーク２６は、巻取りスピンドル３．１，３．２を交互に収容できるように回動可能に形成されている。１つの糸パッケージを移動させるために、プッシングフォーク２６はプッシングアクチュエータによって巻取りスピンドルに沿って並進運動させられ、これによって、糸パッケージは巻取りスピンドルの自由端部に供給される。
【００４２】
巻取りスピンドルの周面において、クリーニング手段１５は、別体に形成されていて、環状のノズル装置２７として構成されている。ノズル装置２７は、ノズル装置２７を軸線方向で巻取りスピンドルに沿って移動させるアクチュエータ１６に連結されている。ノズル装置２７は、巻取りスピンドル３．２の周面に向かって方向付けられた複数の空気ノズル２８を有している。これらの空気ノズル２８は、圧縮空気管路２９を介して、ここでは図示されていない圧縮空気源に連結されており、この圧縮空気源は、ノズル装置２７の押出し運動中に作動可能である。このように構成されていると、巻取りスピンドルの表面に空気流を供給することができ、これによって、存在し得る残糸および糸屑を吹き飛ばすことができる。しかしながら、このような押出し装置は、好ましくは単に、巻取りスピンドルのシールドが交換領域に設けられている巻取り機においてしか使用されない。ノズル装置２７は、アクチュエータ１６を介してプッシングフォーク２６とは無関係に案内されることができる。このように構成されていると、ノズル装置２７は、例えば１つの糸パッケージの２回ごとの押出し工程後に、巻取りスピンドルのクリーニングを実施することができる。
【００４３】
図４に示された押出し装置８の実施例では、プッシング手段１３とクリーニング手段１５とは、互いに無関係に巻取りスピンドルに沿って案内される。この方法変化形態は、掻取り装置とも組合せ可能である。このように構成されていると、掻取り装置を機械フレームに配置するという可能性もあり、これによって、巻取りスピンドル３．１，３．２は単に交換領域においてしか、掻取り装置の掻取り手段と接触しない。このとき、掻取り手段は、例えば半割シェル形状のまたはフォーク形状のブラシによって形成されていてよく、このようなブラシは、交換領域においてそれぞれの巻取りスピンドルに接触させられる。巻取りスピンドルをクリーニングするために巻取りスピンドルは、掻取り手段が巻取りスピンドルに沿って移動させられる間、低い回転数で駆動される。掻取り手段の並進運動と巻取りスピンドルの回転運動との組合せによって、同様に強力なクリーニングが行われる。
【図１】
2022500331.tif 000003
【図２】
2022500331.tif 000004
【図３】
2022500331.tif 000005
【図４】
2022500331.tif 000006
【国際調査報告】
2022500331.tif 000007
2022500331.tif 000008
2022500331.tif 000009
2022500331.tif 000010
2022500331.tif 000011
2022500331.tif 000012
2022500331.tif 000013
2022500331.tif 000014